(57)【要約】【課題】通知情報登録の作業を簡単化する。【解決手段】指定された領域内の移動端末に通知する通知情報を前記領域に対応づけて登録する通知情報登録方法において、位置の指定と、距離の指定と、第１の通知情報の登録要求と、第２の通知情報の登録要求とを受け付けると、前記位置に対して特定方向に前記距離分のズレが生じる第１の位置を包含する第１の領域と、前記位置に対して前記特定方向と特定角度の方向に前記距離分のズレが生じる第２の位置を包含する第２の領域とを生成するとともに、前記第１の領域と前記第２の領域のうちの何れかの領域に前記第１の通知情報を対応づけて登録し、前記第１の領域と前記第２の領域のうちの他の領域に前記第２の通知情報を対応づけて登録する、処理をコンピュータが実行する。【選択図】図８
2017091326.tif 000002
【特許請求の範囲】
【請求項１】
指定された領域内の移動端末に通知する通知情報を前記領域に対応づけて登録する通知情報登録方法において、
位置の指定と、距離の指定と、第１の通知情報の登録要求と、第２の通知情報の登録要求とを受け付けると、前記位置に対して特定方向に前記距離分のズレが生じる第１の位置を包含する第１の領域と、前記位置に対して前記特定方向と特定角度の方向に前記距離分のズレが生じる第２の位置を包含する第２の領域とを生成するとともに、前記第１の領域と前記第２の領域のうちの何れかの領域に前記第１の通知情報を対応づけて登録し、前記第１の領域と前記第２の領域のうちの他の領域に前記第２の通知情報を対応づけて登録する、
処理をコンピュータが実行することを特徴とする通知情報登録方法。
【請求項２】
指定された領域内の移動端末に通知する通知情報を前記領域に対応づけて登録する通知情報登録方法において、
位置の指定と、距離の指定とを受け付けると、前記位置に対して特定方向に前記距離分のズレが生じる第１の位置を包含する第１の領域を生成し、
第１の通知情報の登録要求を受け付けると、前記第１の領域に前記第１の通知情報を対応づけて登録し、
前記位置に対して前記特定方向と所定角度の方向に前記距離分のズレが生じる第２の位置を包含する第２の領域を生成し、
第２の通知情報の登録要求を受け付けると、前記第２の領域に前記第２の通知情報を対応づけて登録する、
処理をコンピュータが実行することを特徴とする通知情報登録方法。
【請求項３】
前記第１の領域は、前記第１の位置を中心とする扇形の領域であり、前記第２の領域は、前記第２の位置を中心とする扇形の領域である、
ことを特徴とする請求項１または２に記載の通知情報登録方法。
【請求項４】
前記第１の通知情報は、前記移動端末の位置が前記第１の領域に扇形の円弧部分に対向する方向から入ったことの検出に応じて前記移動端末に通知される情報であり、前記第２の通知情報は、前記移動端末の位置が前記第２の領域に扇形の円弧部分に対向する方向から入ったことの検出に応じて前記移動端末に通知される情報である、
ことを特徴とする請求項３に記載の通知情報登録方法。
【請求項５】
指定された領域内の移動端末に通知する通知情報を前記領域に対応づけて登録する通知情報登録方法において、
位置の指定と、距離の指定とを受け付けると、前記位置に対して特定方向に前記距離分のズレが生じる第１の位置を包含する第１の領域を生成し、
第１の通知情報の登録要求を受け付けると、前記第１の領域に前記第１の通知情報を対応づけて登録する、
処理をコンピュータが実行することを特徴とする通知情報登録方法。
【請求項６】
指定された領域内の移動端末に通知する通知情報を前記領域に対応づけて登録する通知情報登録装置において、
位置の指定と、距離の指定と、第１の通知情報の登録要求と、第２の通知情報の登録要求とを受け付けると、前記位置に対して特定方向に前記距離分のズレが生じる第１の位置を包含する第１の領域と、前記位置に対して前記特定方向と特定角度の方向に前記距離分のズレが生じる第２の位置を包含する第２の領域とを生成するとともに、前記第１の領域と前記第２の領域のうちの何れかの領域に前記第１の通知情報を対応づけて登録し、前記第１の領域と前記第２の領域のうちの他の領域に前記第２の通知情報を対応づけて登録する制御部、
を備えたことを特徴とする通知情報登録装置。
【請求項７】
指定された領域内の移動端末に通知する通知情報を前記領域に対応づけて登録する通知情報登録装置において、
位置の指定と、距離の指定とを受け付けると、前記位置に対して特定方向に前記距離分のズレが生じる第１の位置を包含する第１の領域を生成する手段と、
第１の通知情報の登録要求を受け付けると、前記第１の領域に前記第１の通知情報を対応づけて登録する手段と、
前記位置に対して前記特定方向と所定角度の方向に前記距離分のズレが生じる第２の位置を包含する第２の領域を生成する手段と、
第２の通知情報の登録要求を受け付けると、前記第２の領域に前記第２の通知情報を対応づけて登録する手段と、
を備えたことを特徴とする通知情報登録装置。
【請求項８】
指定された領域内の移動端末に通知する通知情報を前記領域に対応づけて登録する通知情報登録装置において、
位置の指定と、距離の指定とを受け付けると、前記位置に対して特定方向に前記距離分のズレが生じる第１の位置を包含する第１の領域を生成する手段と、
第１の通知情報の登録要求を受け付けると、前記第１の領域に前記第１の通知情報を対応づけて登録する手段と、
を備えたことを特徴とする通知情報登録装置。
【請求項９】
指定された領域内の移動端末に通知する通知情報を前記領域に対応づけて登録する通知情報登録プログラムにおいて、
位置の指定と、距離の指定と、第１の通知情報の登録要求と、第２の通知情報の登録要求とを受け付けると、前記位置に対して特定方向に前記距離分のズレが生じる第１の位置を包含する第１の領域と、前記位置に対して前記特定方向と特定角度の方向に前記距離分のズレが生じる第２の位置を包含する第２の領域とを生成するとともに、前記第１の領域と前記第２の領域のうちの何れかの領域に前記第１の通知情報を対応づけて登録し、前記第１の領域と前記第２の領域のうちの他の領域に前記第２の通知情報を対応づけて登録する、
処理をコンピュータに実行させることを特徴とする通知情報登録プログラム。
【請求項１０】
指定された領域内の移動端末に通知する通知情報を前記領域に対応づけて登録する通知情報登録プログラムにおいて、
位置の指定と、距離の指定とを受け付けると、前記位置に対して特定方向に前記距離分のズレが生じる第１の位置を包含する第１の領域を生成し、
第１の通知情報の登録要求を受け付けると、前記第１の領域に前記第１の通知情報を対応づけて登録し、
前記位置に対して前記特定方向と所定角度の方向に前記距離分のズレが生じる第２の位置を包含する第２の領域を生成し、
第２の通知情報の登録要求を受け付けると、前記第２の領域に前記第２の通知情報を対応づけて登録する、
処理をコンピュータに実行させることを特徴とする通知情報登録プログラム。
【請求項１１】
指定された領域内の移動端末に通知する通知情報を前記領域に対応づけて登録する通知情報登録プログラムにおいて、
位置の指定と、距離の指定とを受け付けると、前記位置に対して特定方向に前記距離分のズレが生じる第１の位置を包含する第１の領域を生成し、
第１の通知情報の登録要求を受け付けると、前記第１の領域に前記第１の通知情報を対応づけて登録する、
処理をコンピュータに実行させることを特徴とする通知情報登録プログラム。
【発明の詳細な説明】
【技術分野】
【０００１】
本発明は、通知情報登録方法、通知情報登録装置および通知情報登録プログラムに関する。
【背景技術】
【０００２】
空間情報サービスの一例として、予め設定された領域に移動端末が入った場合に、その領域に対応する所定のメッセージや音声が移動端末から出力される仕組が考えられている。例えば、駅の通路上の各所に領域が設定され、その領域に移動端末が入った場合に現在地や路線案内等の各種の情報が音声により出力されるようにすることで、視覚障害者への支援となることが期待されている。
【０００３】
一般に、領域は駅の看板や店舗入口等のブースに関連付けられることが多く、領域を代表する位置（領域が扇形であれば中心点）と、領域の形状および大きさと、出力される通知情報とが対応付けられてデータベースに登録される。以下では、このような登録の処理を通知情報登録と呼ぶ。
【０００４】
一方、商品情報やサービス情報等を無線を使用してリアルタイムに店舗から利用者へ伝達する技術が知られている（例えば、特許文献１）。
【先行技術文献】
【特許文献】
【０００５】
【特許文献１】特開平８−１８０１０１号公報
【発明の概要】
【発明が解決しようとする課題】
【０００６】
上述した通知情報登録は、準備フェーズにおいて、オペレータが対象となる施設や地域等のレイアウト図や地図等を参照し、領域を設定する位置を確認しながら行われる。
【０００７】
一方、領域に移動端末が入ったか否かは、単に領域に移動端末が入った場合だけでなく、所定の方向から入った場合だけを領域に入ったとすることができる。例えば、領域が扇形である場合、扇形の円弧部分（間口に相当）に対向する方向から入った場合に領域に入ったとし、それ以外の方向から領域に入った場合は領域に入ったとしないとすることができる。このように、領域に入る方向を考慮することで、あるブースに到着した場合に、進行方向に応じて異なる情報を提供することができる。例えば、ブースの進行方向の先に「○○線」の改札がある場合は「まっすぐ進むと○○線です」という情報を提供し、同じブースに反対方向から到来した場合は「○○線は後方にあります」という情報を提供することができる。
【０００８】
このような領域に入る方向を考慮して通知情報登録を行う場合、対象となるブースは同じであるにもかかわらず、位置や方向を変えた領域をいくつも作成しなければならず、作業が繁雑であるという問題があった。また、領域に入る方向を考慮しない場合であっても、同じブースの近辺に複数の領域を作成する場合には同様の問題があった。
【０００９】
そこで、一側面では、通知情報登録の作業を簡単化することを目的とする。
【課題を解決するための手段】
【００１０】
一つの形態では、指定された領域内の移動端末に通知する通知情報を前記領域に対応づけて登録する通知情報登録方法において、位置の指定と、距離の指定と、第１の通知情報の登録要求と、第２の通知情報の登録要求とを受け付けると、前記位置に対して特定方向に前記距離分のズレが生じる第１の位置を包含する第１の領域と、前記位置に対して前記特定方向と特定角度の方向に前記距離分のズレが生じる第２の位置を包含する第２の領域とを生成するとともに、前記第１の領域と前記第２の領域のうちの何れかの領域に前記第１の通知情報を対応づけて登録し、前記第１の領域と前記第２の領域のうちの他の領域に前記第２の通知情報を対応づけて登録する、処理をコンピュータが実行する。
【発明の効果】
【００１１】
通知情報登録の作業を簡単化することができる。
【図面の簡単な説明】
【００１２】
【図１】一実施形態にかかるシステムの構成例を示す図である。
【図２】準備フェーズで用いられる案内情報設定端末のソフトウェア構成例を示す図である。
【図３】案内情報データベースのデータ構造例を示す図である。
【図４】運用フェーズで用いられる制御端末のソフトウェア構成例を示す図である。
【図５】運用フェーズで用いられる移動端末のソフトウェア構成例を示す図である。
【図６】案内情報設定端末および制御端末のハードウェア構成例を示す図である。
【図７】移動端末のハードウェア構成例を示す図である。
【図８】準備フェーズにおける処理例を示すフローチャートである。
【図９】案内情報設定アプリの画面例を示す図である。
【図１０】設定される領域の例を示す図（その１）である。
【図１１】案内情報データベースの各種テーブルのデータ例を示す図（その１）である。
【図１２】設定される領域の例を示す図（その２）である。
【図１３】案内情報データベースの各種テーブルのデータ例を示す図（その２）である。
【図１４】間口の広いブースに適切な領域を設定する例を示す図である。
【図１５】運用フェーズにおける処理例を示すフローチャートである。
【図１６】領域と現在位置との関係の例を示す図である。
【発明を実施するための形態】
【００１３】
以下、本発明の好適な実施形態につき説明する。
【００１４】
＜構成＞
図１は一実施形態にかかるシステムの構成例を示す図である。図１において、準備フェーズの構成として、案内情報設定（通知情報登録）に用いられる案内情報設定端末１が設けられている。案内情報設定端末１では、ブースと領域と案内情報（通知情報）が対応づけられた案内情報データベースが作成・更新され、この案内情報データベースの内容は運用フェーズで用いられる移動端末６に反映される。移動端末６への案内情報データベースの内容の反映は、移動端末６への案内情報通知アプリ（アプリケーションプログラム）のダウンロードおよびインストールと同時に行ったり、移動端末６の案内情報データベースのみを個別にアップデートしたりすることで行われる。
【００１５】
一方、運用フェーズの構成として、位置情報取得のために制御端末２とハブ３と複数の位置取得固定局４と位置取得移動局５とが設けられている。制御端末２とハブ３の間、および、ハブ３と複数の位置取得固定局４の間はネットワークケーブルで接続されている。位置取得移動局５は、スマートフォン等の移動端末６に装着され、ＵＳＢケーブル等によって移動端末６と電気的に接続される。
【００１６】
位置情報取得の仕組は、例えば、既存のＵＷＢ（Ultra-Wide Band）測位システムを用いることを想定しているが、他の測位システムを使用することもできる。ＵＷＢ測位システムでは、３０ｃｍ程度の精度でリアルタイムに位置を測定することができる。図示の構成では、制御端末２の制御のもと、複数の位置取得固定局４から短いパルス状の電波を周囲に送信し、位置取得移動局５は複数の位置取得固定局４からの電波を受信することで、各位置取得固定局４との間の距離を測定する。位置取得移動局５は複数の位置取得固定局４との間の距離情報を位置取得固定局４を介して制御端末２に送信し、制御端末２は予め設定された各位置取得固定局４の位置情報に基づき、３点測位によって位置取得移動局５の位置を算出する。そして、制御端末２は位置取得移動局５の位置情報を位置取得固定局４を介して位置取得移動局５に送信し、位置取得移動局５は受信した位置情報を移動端末６に引き渡す。
【００１７】
なお、移動端末６に位置取得移動局５を装着する場合について説明したが、移動端末６に位置取得移動局５の機能が内蔵されている場合には、位置取得移動局５を別体として設ける必要はない。
【００１８】
図２は準備フェーズで用いられる案内情報設定端末１のソフトウェア構成例を示す図である。図２において、案内情報設定端末１は、オペレーティングシステム１１と案内情報設定アプリ１２とレイアウト情報／地図情報データベース１８と案内情報データベース１９とを備えている。案内情報設定アプリ１２は、ユーザ入力受付部１３とデータベース読込部１４と領域表示部１５と領域生成・更新部１６とデータベース登録部１７とを備えている。
【００１９】
オペレーティングシステム１１は、案内情報設定端末１における基本的な機能を提供するものである。案内情報設定アプリ１２は、案内情報設定端末１のユーザであるオペレータの操作に応じ、案内情報データベース１９にブースと領域と通知情報（案内情報）を対応付けたデータを作成・更新する機能を有している。
【００２０】
ユーザ入力受付部１３は、オペレータから対話的に情報および操作を受け付ける機能を有している。領域の設定については位置や距離が入力され、領域に対応づける案内情報が入力される。データベース読込部１４は、レイアウト情報／地図情報データベース１８および案内情報データベース１９から保存されている情報を読み込み、案内情報設定アプリ１２の管理下のメモリ上に地図等の情報と領域に関する情報とを展開する機能を有している。領域表示部１５は、案内情報設定アプリ１２の管理下のメモリ上に展開された地図等の情報と領域に関する情報とを画面上に表示する機能を有している。
【００２１】
領域生成・更新部１６は、オペレータの操作に応じ、案内情報設定アプリ１２の管理下のメモリ上に領域に関する情報を生成し、または既にある情報を更新する機能を有している。データベース登録部１７は、案内情報設定アプリ１２の管理下のメモリ上の領域に関する情報を案内情報データベース１９に登録する機能を有している。
【００２２】
レイアウト情報／地図情報データベース１８は、サービス提供の対象となる施設や地域等のレイアウト図や地図等の情報を保持するものであり、通路の位置および形状と、ブースについての情報が含まれている。
【００２３】
案内情報データベース１９は、ブースと領域と通知情報（案内情報）とを対応づけた情報を保持する。図３は案内情報データベース１９のデータ構造例を示す図であり、ブーステーブルＴ１と領域テーブルＴ２と通知情報テーブルＴ３と領域・通知情報関連テーブルＴ４とを含んでいる。ブーステーブルＴ１は、「ブースＩＤ」「中心座標」等の項目を有している。「ブースＩＤ」はブース（駅の看板や店舗入口等）を識別する情報である。「中心座標」は、ブースの代表的な位置の座標である。領域テーブルＴ２は、「領域ＩＤ」「ブースＩＤ」「距離」「方向」「扇形の半径」「扇形の開き角度」等の項目を有している。「領域ＩＤ」は領域を識別する情報である。「ブースＩＤ」は関連づけられたブースを識別する情報である。「距離」は、関連づけられたブースの中心座標と領域の扇形の中心座標の間の距離である。「方向」は「距離」のズレる方向である。「扇形の半径」は領域となる扇形の半径である。「扇形の開き角度」は領域となる扇形の開き角度（開き角度を３６０°とすれば円形）である。なお、領域を扇形として説明するが、他の形状であってもよい。
【００２４】
通知情報テーブルＴ３は、「通知ＩＤ」「通知内容」等の項目を有している。「通知ＩＤ」は通知情報を識別する情報である。「通知内容」は通知情報の内容（テキストデータ、音声データ等）である。テキストデータや音声データの本体を他の場所に格納し、それへのリンク情報を通知情報テーブルＴ３に保持するようにしてもよい。領域・通知情報関連テーブルＴ４は、「領域ＩＤ」「通知ＩＤ」等の項目を有している。「領域ＩＤ」は領域を識別する情報である。「通知ＩＤ」は通知情報を識別する情報である。ブーステーブルＴ１と領域テーブルＴ２は「ブースＩＤ」により対応づけられ、領域テーブルＴ２と領域・通知情報関連テーブルＴ４は「領域ＩＤ」により対応づけられ、領域・通知情報関連テーブルＴ４と通知情報テーブルＴ３は「通知ＩＤ」により対応づけられる。なお、ブースと領域と通知情報とが関連づけられるものであれば、具体的な関連づけは他の手法で行ってもよい。
【００２５】
図４は運用フェーズで用いられる制御端末２のソフトウェア構成例を示す図である。図４において、制御端末２は、オペレーティングシステム２１と制御アプリ２２と固定局位置情報データベース２７とを備えている。制御アプリ２２は、固定局管理部２３と距離情報受信部２４と位置情報算出部２５と位置情報送信部２６とを備えている。
【００２６】
オペレーティングシステム２１は、制御端末２における基本的な機能を提供するものである。制御アプリ２２は、複数の位置取得固定局４を含む測位システムを制御し、位置取得移動局５から受信した複数の位置取得固定局４との間の距離情報に基づいて位置取得移動局５の位置情報を求め、位置取得移動局５に送信する機能を有している。固定局管理部２３は、位置取得固定局４の状態を管理する機能を有している。距離情報受信部２４は、位置取得移動局５から距離情報を受信する機能を有している。
【００２７】
位置情報算出部２５は、位置取得移動局５から受信した複数の位置取得固定局４との間の距離情報から、予め設定された各位置取得固定局４の位置情報（固定局位置情報データベース２７が保持）に基づき、３点測位によって位置取得移動局５の位置を算出する機能を有している。位置情報送信部２６は、算出した位置情報を位置取得移動局５に送信する機能を有している。固定局位置情報データベース２７は、各位置取得固定局４の位置（座標）を保持している。
【００２８】
図５は運用フェーズで用いられる移動端末６のソフトウェア構成例を示す図である。図５において、移動端末６は、オペレーティングシステム６１と案内情報通知アプリ６２と案内情報データベース６７とを備えている。案内情報通知アプリ６２は、データベース読込部６３と位置情報取得部６４とエリアイン監視部６５と通知出力部６６とを備えている。
【００２９】
オペレーティングシステム６１は、移動端末６における基本的な機能を提供するものである。案内情報通知アプリ６２は、位置取得移動局５から取得した自装置の位置情報（現在位置）と案内情報データベース６７の情報に基づき、案内情報を移動端末６のユーザに提供（メッセージの表示、音声の出力等）する機能を有している。
【００３０】
データベース読込部６３は、案内情報データベース６７に保存されている領域に関する情報を読み込み、その情報を案内情報通知アプリ６２の管理下のメモリ上に展開する機能を有している。位置情報取得部６４は、位置取得移動局５から自装置の位置情報を取得する機能を有している。エリアイン監視部６５は、自装置の位置情報をメモリ上に展開された領域に関する情報と照合することで、移動端末６がいずれかの領域に入ったか否かを監視する機能を有している。ここで、扇形の領域の円弧部分（間口に相当）に対向する方向から入った場合に領域に入ったとし、それ以外の方向から領域に入った場合は領域に入ったとしないものとする。例えば、自装置の位置情報がいずれかの領域に含まれるか否か判定し、含まれる場合に間口と対面する方向から到来したか否かを判定し、間口と対面する方向から到来した場合にその領域に入ったと判定する。
【００３１】
通知出力部６６は、エリアイン監視部６５が領域に入ったと検知した場合に、その領域に関連付けられた通知情報を出力する機能を有している。案内情報データベース６７は、前述した案内情報設定端末１の案内情報データベース１９と同様であり、図３に示したようなデータ構造となっている。
【００３２】
図６は案内情報設定端末１および制御端末２のハードウェア構成例を示す図である。図６において、案内情報設定端末１等は、システムバス１０１に接続されたＣＰＵ（Central Processing Unit）１０２、ＲＯＭ（Read Only Memory）１０３、ＲＡＭ（Random Access Memory）１０４、ＮＶＲＡＭ（Non-Volatile Random Access Memory）１０５を備えている。また、案内情報設定端末１等は、Ｉ／Ｆ（Interface）１０６と、Ｉ／Ｆ１０６に接続された、Ｉ／Ｏ（Input/Output Device）１０７、ＨＤＤ（Hard Disk Drive）／フラッシュメモリ１０８、ＮＩＣ（Network Interface Card）１０９と、Ｉ／Ｏ１０７に接続されたモニタ１１０、キーボード１１１、マウス１１２等を備えている。Ｉ／Ｏ１０７にはＣＤ／ＤＶＤ（Compact Disk/Digital Versatile Disk）ドライブ等を接続することもできる。
【００３３】
図２および図４で説明した案内情報設定端末１および制御端末２の機能は、ＣＰＵ１０２において所定のプログラムが実行されることで実現される。プログラムは、記録媒体を経由して取得されるものでもよいし、ネットワークを経由して取得されるものでもよいし、ＲＯＭ組込でもよい。
【００３４】
図７は移動端末６のハードウェア構成例を示す図である。図７において、移動端末６は、電源システム６０１と、プロセッサ６０３、メモリコントローラ６０４、周辺インタフェース６０５を含むメインシステム６０２と、記憶部６０６とを備えている。また、移動端末６は、外部ポート６０７と、高周波回路６０８と、アンテナ６０９と、オーディオ回路６１０と、スピーカ６１１と、マイク６１２と、近接センサ６１３と、ＧＰＳ（Global Positioning System）回路６１４とを備えている。また、移動端末６は、ディスプレイコントローラ６１６、光学センサコントローラ６１７、入力コントローラ６１８を含むＩ／Ｏ（Input/Output）サブシステム６１５と、タッチ反応型ディスプレイシステム６１９と、光学センサ６２０と、入力部６２１とを備えている。
【００３５】
図５で説明した移動端末６の機能は、プロセッサ６０３において所定のプログラムが実行されることで実現される。プログラムは、記録媒体を経由して取得されるものでもよいし、ネットワークを経由して取得されるものでもよいし、ＲＯＭ組込でもよい。
【００３６】
＜動作＞
［準備フェーズ］
図８は準備フェーズにおける処理例を示すフローチャートである。図８において、案内情報設定端末１の案内情報設定アプリ１２が起動されると、ユーザ入力受付部１３にて受け付けたオペレータの操作（既存情報の選択、対象とする地図範囲の指定等）に応じ、データベース読込部１４は、データベース登録部１７および案内情報データベース１９に保存されている情報を読み込む（ステップＳ１１）。領域に関する既存の情報が存在しない場合（新規作成の場合等）は案内情報データベース１９からの読み込みは行われない。
【００３７】
データベース読込部１４は、読み込んだ情報をもとに、案内情報設定アプリ１２の管理下のメモリ上に地図等の情報と領域に関する情報とを展開し、領域表示部１５により地図等の情報に重ねて領域に関する情報を表示する（ステップＳ１２）。図９は、地図が表示された状態（領域に関する情報は存在しない）を示している。図示の例では、駅の通路の天井等に設けられた看板に相当するブースＢ１が表示されている。なお、通路の左側の先には「○○線改札」があるものとしている。
【００３８】
図８に戻り、ユーザ入力受付部１３にて、領域に関する情報をオペレータから受け付けると（ステップＳ１３）、領域生成・更新部１６により、オペレータから受け付けた情報をもとに、案内情報設定アプリ１２の管理下のメモリ上に領域に関する情報の追加・更新・削除を行い、画面の表示を更新する（ステップＳ１４）。
【００３９】
例えば、図９に示したブースＢ１を対象に、その右側と左側に領域を設定するものとし、先に右側の領域を設定するものとする。この場合、オペレータは、ブースの特定、ブースの中心から領域の中心までのズレの距離、その距離のズレの方向、領域となる扇形の半径、扇形の開き角度等を入力する。なお、距離のズレの方向については、ブースの置かれた通路の配置から自明である場合には、入力を省略することができる。また、扇形の半径や扇形の開き角度についてはデフォルト値を決めておくことで、入力を省略することもできる。
【００４０】
今、図１０に示すように、ブースＢ１の右側（図の真上方向から時計回りの角度である方向「９０°」）に距離「５」だけズレた位置に中心を持つ半径「１０」で開き角度「１２０°」の領域Ａ１を設定するものとする。ブースＢ１のブースＩＤを「１」、ブースＢ１の中心座標を「（０，０）」とし、領域Ａ１に自動的に領域ＩＤ「１」が割り当てられるとすると、図１１に示すようなブーステーブルＴ１と領域テーブルＴ２が追加される。
【００４１】
図８に戻り、ユーザ入力受付部１３にて、領域に関連付ける通知情報をオペレータから受け付けると（ステップＳ１５）、データベース登録部１７により、領域に関する情報および通知情報を案内情報データベース１９に保存（登録）し、表示を更新する（ステップＳ１６）。例えば、オペレータが前述した例の領域Ａ１（図１０）に通知情報「まっすぐ進むと○○線です」を入力し、通知情報に自動的に通知ＩＤ「１」が割り当てられるものとすると、図１１に示すような通知情報テーブルＴ３および領域・通知情報関連テーブルＴ４が追加される。
【００４２】
図８に戻り、ユーザ入力受付部１３にて、対となる次の領域に関する情報をオペレータから受け付けると（ステップＳ１３）、領域生成・更新部１６により、オペレータから受け付けた情報をもとに、案内情報設定アプリ１２の管理下のメモリ上に領域に関する情報の追加・更新・削除を行い、画面の表示を更新する（ステップＳ１４）。
【００４３】
図１２に示すように、ブースＢ１の左側（領域Ａ１の方向から相対角度「１８０°」）に領域Ａ１と対称な領域Ａ２を設定する場合、オペレータは相対角度「１８０°」を入力する。なお、ブースの置かれた通路の配置から２番目の領域の相対角度が「１８０°」であることが自明である場合には、相対角度の入力を省略することができる。そして、図１３に示すように、領域テーブルＴ２では、領域ＩＤ「１」の内容がコピーされた上で、領域ＩＤが「２」（自動生成）とされ、方向が、相対角度を加えた「２７０°」とされる。
【００４４】
図８に戻り、ユーザ入力受付部１３にて、領域に関連付ける通知情報をオペレータから受け付けると（ステップＳ１５）、データベース登録部１７により、領域に関する情報および通知情報を案内情報データベース１９に保存（登録）し、表示を更新する（ステップＳ１６）。例えば、オペレータが前述した例の領域Ａ２に通知情報「○○線は後方にあります」を入力し、通知情報に自動的に通知ＩＤ「２」が割り当てられるものとすると、図１３に示すように通知情報テーブルＴ３および領域・通知情報関連テーブルＴ４が更新される。
【００４５】
上述した例では、ブースの両側（互いに反対側の対称位置）に領域を設定する場合について説明したが、通路のコーナ部分にあるブース等の場合に対応した相対角度が「９０°」の領域を設定することもできる。また、任意の相対角度の方向に領域を設定することができる。
【００４６】
また、１つのブースに対する２つの領域のそれぞれについて処理を行う場合について説明したが、２つの領域に関する情報を同時に受け付け（ステップＳ１３）、２つの領域について同時に処理を行うこともできる。また、通知情報についても、２つの領域に関する情報を同時に受け付けてもよいし（ステップＳ１５）、２つの領域に関する情報の受付（ステップＳ１３）と同時に２つの領域の通知情報を受け付け、連続して処理を行ってもよい。
【００４７】
更に、ブースに対して２つの領域を設定する場合に限らず、１つの領域を設定してもよいし、３つ以上の領域を設定してもよい。
【００４８】
図１４は間口の広いブースに適切な領域を設定する例を示す図であり、１つのブースに対して１つの領域を設定する例である。図１４において、ブースＢ１１、Ｂ１２が例えば幅１８０ｃｍの一般的な机である場合、机前面の中心Ｐ１１、Ｐ１２を領域Ａ１１、Ａ１２の中心とすることで、その前を通るユーザを検出するのに適切な領域とすることができる。しかし、ブースＢ１３のように例えば幅３６０ｃｍのような幅の広い机の場合、前面の中心Ｐ１３を領域の中心にしてしまうと、領域が広がりすぎ、ブースＢ１３に興味のないユーザまでも検出してしまう。そこで、ブースＢ１３の中心Ｐ１３に対して、例えば方向「１８０°」、距離「９０ｃｍ」、扇形の半径「１６５ｃｍ」、扇形の開き角度「１８０°」を指定して中心Ｐ１３'の領域Ａ１３を設定することで、適切な広さの領域を設定することが可能になる。
【００４９】
［運用フェーズ］
図１５は運用フェーズにおける処理例を示すフローチャートである。図１５において、移動端末６の案内情報通知アプリ６２が起動されて処理を開始すると、データベース読込部６３にて案内情報データベース６７の領域に関する情報および通知情報を読み込む（ステップＳ２１）。
【００５０】
次いで、位置情報取得部６４にて移動端末６の現在位置（位置取得移動局５の現在位置）を取得する（ステップＳ２２）。
【００５１】
次いで、エリアイン監視部６５にて、移動端末６がいずれかの領域に入ったか否か判定する（ステップＳ２３）。
【００５２】
図１６は領域と現在位置との関係の例を示す図であり、移動端末６はブースＢ１の右方向の遠方からブースＢ１に向かって左方向に移動するものとする。今、座標（０，０）のブースＢ１に対して、移動端末６が座標（２０，０）の位置Ｍ１にいる場合、エリアイン監視部６５は、位置Ｍ１が領域Ａ１、Ａ２のいずれにも含まれないため、移動端末６がいずれかの領域に入ったと判定しない。
【００５３】
また、移動端末６が座標（１４，０）の位置Ｍ２にいる場合、エリアイン監視部６５は、位置Ｍ２が領域Ａ１に含まれると判断し、更に、位置Ｍ２の移動の方向が領域Ａ１の間口（扇形の円弧部）に対向するか否か判断する。移動の方向は、直前に取得された現在位置と現在位置との差から取得することができる。また、移動端末６の方位センサから方向を取得してもよい。この例では、領域Ａ１の間口に対向するため、エリアイン監視部６５は、移動端末６が領域Ａ１に入ったと判定する。
【００５４】
また、移動端末６が座標（−６，０）の位置Ｍ３にいる場合、エリアイン監視部６５は、位置Ｍ３が領域Ａ２に含まれると判断し、更に、位置Ｍ３の移動の方向が領域Ａ２の間口（扇形の円弧部）に対向するか否か判断する。この例では、領域Ａ２の間口に対向しないため、エリアイン監視部６５は、移動端末６が領域Ａ２に入ったと判定しない。
【００５５】
図１５に戻り、いずれかの領域に入ったと判定しなかった場合（ステップＳ２４のＮｏ）、現在位置の取得（ステップＳ２２）に戻る。
【００５６】
いずれかの領域に入ったと判定した場合（ステップＳ２４のＹｅｓ）、通知出力部６６にて、その領域に関連付けられた通知情報を出力する（ステップＳ２５）。
【００５７】
その後、案内情報通知アプリ６２が終了しない場合（ステップＳ２６のＮｏ）は現在位置の取得（ステップＳ２２）に戻り、案内情報通知アプリ６２が終了する場合（ステップＳ２６のＹｅｓ）は処理を終了する。
【００５８】
＜総括＞
以上説明したように、本実施形態によれば、通知情報登録の作業を簡単化することができる。
【００５９】
以上、好適な実施の形態により説明した。ここでは特定の具体例を示して説明したが、特許請求の範囲に定義された広範な趣旨および範囲から逸脱することなく、これら具体例に様々な修正および変更を加えることができることは明らかである。すなわち、具体例の詳細および添付の図面により限定されるものと解釈してはならない。
【００６０】
以上の説明に関し、更に以下の項を開示する。
（付記１）
指定された領域内の移動端末に通知する通知情報を前記領域に対応づけて登録する通知情報登録方法において、
位置の指定と、距離の指定と、第１の通知情報の登録要求と、第２の通知情報の登録要求とを受け付けると、前記位置に対して特定方向に前記距離分のズレが生じる第１の位置を包含する第１の領域と、前記位置に対して前記特定方向と特定角度の方向に前記距離分のズレが生じる第２の位置を包含する第２の領域とを生成するとともに、前記第１の領域と前記第２の領域のうちの何れかの領域に前記第１の通知情報を対応づけて登録し、前記第１の領域と前記第２の領域のうちの他の領域に前記第２の通知情報を対応づけて登録する、
処理をコンピュータが実行することを特徴とする通知情報登録方法。
（付記２）
指定された領域内の移動端末に通知する通知情報を前記領域に対応づけて登録する通知情報登録方法において、
位置の指定と、距離の指定とを受け付けると、前記位置に対して特定方向に前記距離分のズレが生じる第１の位置を包含する第１の領域を生成し、
第１の通知情報の登録要求を受け付けると、前記第１の領域に前記第１の通知情報を対応づけて登録し、
前記位置に対して前記特定方向と所定角度の方向に前記距離分のズレが生じる第２の位置を包含する第２の領域を生成し、
第２の通知情報の登録要求を受け付けると、前記第２の領域に前記第２の通知情報を対応づけて登録する、
処理をコンピュータが実行することを特徴とする通知情報登録方法。
（付記３）
前記第１の領域は、前記第１の位置を中心とする扇形の領域であり、前記第２の領域は、前記第２の位置を中心とする扇形の領域である、
ことを特徴とする付記１または２に記載の通知情報登録方法。
（付記４）
前記第１の通知情報は、前記移動端末の位置が前記第１の領域に扇形の円弧部分に対向する方向から入ったことの検出に応じて前記移動端末に通知される情報であり、前記第２の通知情報は、前記移動端末の位置が前記第２の領域に扇形の円弧部分に対向する方向から入ったことの検出に応じて前記移動端末に通知される情報である、
ことを特徴とする付記３に記載の通知情報登録方法。
（付記５）
指定された領域内の移動端末に通知する通知情報を前記領域に対応づけて登録する通知情報登録方法において、
位置の指定と、距離の指定とを受け付けると、前記位置に対して特定方向に前記距離分のズレが生じる第１の位置を包含する第１の領域を生成し、
第１の通知情報の登録要求を受け付けると、前記第１の領域に前記第１の通知情報を対応づけて登録する、
処理をコンピュータが実行することを特徴とする通知情報登録方法。
（付記６）
指定された領域内の移動端末に通知する通知情報を前記領域に対応づけて登録する通知情報登録装置において、
位置の指定と、距離の指定と、第１の通知情報の登録要求と、第２の通知情報の登録要求とを受け付けると、前記位置に対して特定方向に前記距離分のズレが生じる第１の位置を包含する第１の領域と、前記位置に対して前記特定方向と特定角度の方向に前記距離分のズレが生じる第２の位置を包含する第２の領域とを生成するとともに、前記第１の領域と前記第２の領域のうちの何れかの領域に前記第１の通知情報を対応づけて登録し、前記第１の領域と前記第２の領域のうちの他の領域に前記第２の通知情報を対応づけて登録する制御部、
を備えたことを特徴とする通知情報登録装置。
（付記７）
指定された領域内の移動端末に通知する通知情報を前記領域に対応づけて登録する通知情報登録装置において、
位置の指定と、距離の指定とを受け付けると、前記位置に対して特定方向に前記距離分のズレが生じる第１の位置を包含する第１の領域を生成する手段と、
第１の通知情報の登録要求を受け付けると、前記第１の領域に前記第１の通知情報を対応づけて登録する手段と、
前記位置に対して前記特定方向と所定角度の方向に前記距離分のズレが生じる第２の位置を包含する第２の領域を生成する手段と、
第２の通知情報の登録要求を受け付けると、前記第２の領域に前記第２の通知情報を対応づけて登録する手段と、
を備えたことを特徴とする通知情報登録装置。
（付記８）
前記第１の領域は、前記第１の位置を中心とする扇形の領域であり、前記第２の領域は、前記第２の位置を中心とする扇形の領域である、
ことを特徴とする付記６または７に記載の通知情報登録装置。
（付記９）
前記第１の通知情報は、前記移動端末の位置が前記第１の領域に扇形の円弧部分に対向する方向から入ったことの検出に応じて前記移動端末に通知される情報であり、前記第２の通知情報は、前記移動端末の位置が前記第２の領域に扇形の円弧部分に対向する方向から入ったことの検出に応じて前記移動端末に通知される情報である、
ことを特徴とする付記８に記載の通知情報登録装置。
（付記１０）
指定された領域内の移動端末に通知する通知情報を前記領域に対応づけて登録する通知情報登録装置において、
位置の指定と、距離の指定とを受け付けると、前記位置に対して特定方向に前記距離分のズレが生じる第１の位置を包含する第１の領域を生成する手段と、
第１の通知情報の登録要求を受け付けると、前記第１の領域に前記第１の通知情報を対応づけて登録する手段と、
を備えたことを特徴とする通知情報登録装置。
（付記１１）
指定された領域内の移動端末に通知する通知情報を前記領域に対応づけて登録する通知情報登録プログラムにおいて、
位置の指定と、距離の指定と、第１の通知情報の登録要求と、第２の通知情報の登録要求とを受け付けると、前記位置に対して特定方向に前記距離分のズレが生じる第１の位置を包含する第１の領域と、前記位置に対して前記特定方向と特定角度の方向に前記距離分のズレが生じる第２の位置を包含する第２の領域とを生成するとともに、前記第１の領域と前記第２の領域のうちの何れかの領域に前記第１の通知情報を対応づけて登録し、前記第１の領域と前記第２の領域のうちの他の領域に前記第２の通知情報を対応づけて登録する、
処理をコンピュータに実行させることを特徴とする通知情報登録プログラム。
（付記１２）
指定された領域内の移動端末に通知する通知情報を前記領域に対応づけて登録する通知情報登録プログラムにおいて、
位置の指定と、距離の指定とを受け付けると、前記位置に対して特定方向に前記距離分のズレが生じる第１の位置を包含する第１の領域を生成し、
第１の通知情報の登録要求を受け付けると、前記第１の領域に前記第１の通知情報を対応づけて登録し、
前記位置に対して前記特定方向と所定角度の方向に前記距離分のズレが生じる第２の位置を包含する第２の領域を生成し、
第２の通知情報の登録要求を受け付けると、前記第２の領域に前記第２の通知情報を対応づけて登録する、
処理をコンピュータに実行させることを特徴とする通知情報登録プログラム。
（付記１３）
前記第１の領域は、前記第１の位置を中心とする扇形の領域であり、前記第２の領域は、前記第２の位置を中心とする扇形の領域である、
ことを特徴とする付記１１または１２に記載の通知情報登録プログラム。
（付記１４）
前記第１の通知情報は、前記移動端末の位置が前記第１の領域に扇形の円弧部分に対向する方向から入ったことの検出に応じて前記移動端末に通知される情報であり、前記第２の通知情報は、前記移動端末の位置が前記第２の領域に扇形の円弧部分に対向する方向から入ったことの検出に応じて前記移動端末に通知される情報である、
ことを特徴とする付記１３に記載の通知情報登録プログラム。
（付記１５）
指定された領域内の移動端末に通知する通知情報を前記領域に対応づけて登録する通知情報登録プログラムにおいて、
位置の指定と、距離の指定とを受け付けると、前記位置に対して特定方向に前記距離分のズレが生じる第１の位置を包含する第１の領域を生成し、
第１の通知情報の登録要求を受け付けると、前記第１の領域に前記第１の通知情報を対応づけて登録する、
処理をコンピュータに実行させることを特徴とする通知情報登録プログラム。
【００６１】
領域Ａ１は「第１の領域」の一例である。領域Ａ２は「第２の領域」の一例である。
【符号の説明】
【００６２】
１        案内情報設定端末
１１      オペレーティングシステム
１２      案内情報設定アプリ
１３      ユーザ入力受付部
１４      データベース読込部
１５      領域表示部
１６      領域生成・更新部
１７      データベース登録部
１８      レイアウト情報／地図情報データベース
１９      案内情報データベース
２        制御端末
２１      オペレーティングシステム
２２      制御アプリ
２３      固定局管理部
２４      距離情報受信部
２５      位置情報算出部
２６      位置情報送信部
２７      固定局位置情報データベース
３        ハブ
４        位置取得固定局
５        位置取得移動局
６        移動端末
６１      オペレーティングシステム
６２      案内情報通知アプリ
６３      データベース読込部
６４      位置情報取得部
６５      エリアイン監視部
６６      通知出力部
６７      案内情報データベース
Ｔ１      ブーステーブル
Ｔ２      領域テーブル
Ｔ３      通知情報テーブル
Ｔ４      領域・通知情報関連テーブル
【図１】
2017091326.tif 000003
【図２】
2017091326.tif 000004
【図３】
2017091326.tif 000005
【図４】
2017091326.tif 000006
【図５】
2017091326.tif 000007
【図６】
2017091326.tif 000008
【図７】
2017091326.tif 000009
【図８】
2017091326.tif 000010
【図９】
2017091326.tif 000011
【図１０】
2017091326.tif 000012
【図１１】
2017091326.tif 000013
【図１２】
2017091326.tif 000014
【図１３】
2017091326.tif 000015
【図１４】
2017091326.tif 000016
【図１５】
2017091326.tif 000017
【図１６】
2017091326.tif 000018